(57)【要約】【課題】  狭い圃場の通路にて除草作業を行う場合であっても、作物を損傷することがなく、背低の雑草を確実に除去することができる背低草の刈払機を提供すること。【解決手段】  円形の板体１を棒状の操作シャフト２の先端に配設して、この板体１を動力源によって回転可能にして、かつ、この板体１の下面には、少なくとも複数の突起３・３…を、半径線上に沿って成形する一方、この板体１の上面側には、ガード部材４を被覆して、このガード部材４を、前記操作シャフト２に取り付けられる扇形の支持蓋41と、この支持蓋41の周弧縁部から垂下する弯曲状の保護壁42とから構成して、このガード部材４を、前記板体１の周端縁部の外側に所定間隔をおいて前記保護壁42を配設して、かつ、前記支持蓋41の少なくとも一方の径端縁部と前記操作シャフト２とのなす角が鈍角になるようにして被覆固定する。【選択図】  図１
0003158014.tif 000002
【実用新案登録請求の範囲】
【請求項１】
複数の畝Ｆに沿って作物が植え込まれた圃場にて、これらの畝Ｆ同士の間における地表に生えた背低の雑草を除去するための刈払機であって、
円形の板体１が棒状の操作シャフト２の先端に配設され、この板体１が動力源によって回転可能であり、かつ、この板体１の下面には、少なくとも複数の突起３・３…が、半径線上に沿って成形されている一方、
この板体１の上面側には、ガード部材４が被覆されており、このガード部材４は、前記操作シャフト２に取り付けられる扇形の支持蓋41と、この支持蓋41の周弧縁部から垂下する弯曲状の保護壁42とから構成されており、
このガード部材４は、前記板体１の周端縁部の外側に所定間隔をおいて前記保護壁42が配設され、かつ、前記支持蓋41の少なくとも一方の径端縁部と前記操作シャフト２とのなす角が鈍角になるようにして被覆固定されており、
前記板体１が回転して前記突起３が地表を擦過することにより雑草を除去可能であるとともに、前記保護壁42により板体１の外周縁部の接触および小石の飛散を防止したことを特徴とする背低草の刈払機。
【請求項２】
突起３が、複数の半径線上に沿って成形されており、かつ、隣り合う半径線上において当該突起３が互い違いに形成されており、
この形成位置に対応する同心円上に互い違いの円軌道領域が形成されていることを特徴とする請求項１記載の背低草の刈払機。
【請求項３】
突起３が、弾性変形可能な強化繊維材料で作製されていることを特徴とする請求項１または２記載の背低草の刈払機。
【考案の詳細な説明】
【技術分野】
【０００１】
本考案は、刈払機の改良、更に詳しくは、狭い圃場の通路にて除草作業を行う場合であっても、作物を損傷することがなく、背低の雑草を確実に除去することができる背低草の刈払機に関するものである。
【背景技術】
【０００２】
周知のとおり、農作物を栽培する圃場においては、農作物の生育阻害となる雑草をこまめに除去する必要がある。
【０００３】
従来、このような雑草を除去するためには、モータやエンジンなどで刃を回転して切断する刈払機を用いていたが、１０センチ以内の比較的背丈の低い雑草の場合には、茎部分の切断ができても、根こそぎ除去できないという問題があった。
【０００４】
そこで、かかる刈払機において、背丈の低い雑草を除去するために、板体の周縁部に刃部を成形したものの他に、板体の下面表面に突起を成形して、この突起によって地表の雑草を除去するものが開示されている（例えば、特許文献１、２参照）。
【０００５】
しかしながら、かかる刈払機は、特にネギ畑のような圃場においては、ネギを植え込んだ畝（うね）と畝との間が狭いために、その狭い通路に作業者が立って除草作業をする場合に、誤ってネギの根元に刃が接触したり、飛散した小石が直撃するおそれがあり、作物を損傷してしまうおそれがあった。
【０００６】
また、刃が必要以上に地表に食い込んでしまうと、土壌が緩んでしまって、盛土が崩れて、作物が倒れてしまうおそれもある。
【先行技術文献】
【特許文献】
【０００７】
【特許文献１】実開平５−４８３１号公報（第３−５頁、図１−３）
【特許文献２】特開２０００−１６６３０６号公報（第４−６頁、図１−６）
【考案の概要】
【考案が解決しようとする課題】
【０００８】
本考案は、従来の刈払機において上記のような問題があったことに鑑みて為されたものであり、その目的とするところは、狭い圃場の通路にて除草作業を行う場合であっても、作物を損傷することがなく、背低の雑草を確実に除去することができる背低草の刈払機を提供することにある。
【課題を解決するための手段】
【０００９】
本考案者が上記課題を解決するために採用した手段を添付図面を参照して説明すれば次のとおりである。
【００１０】
即ち、本考案は、複数の畝Ｆに沿って作物が植え込まれた圃場にて、これらの畝Ｆ同士の間における地表に生えた背低の雑草を除去するための刈払機であって、
円形の板体１を棒状の操作シャフト２の先端に配設して、この板体１を動力源によって回転可能にして、かつ、この板体１の下面には、少なくとも複数の突起３・３…を、半径線上に沿って成形する一方、
この板体１の上面側には、ガード部材４を被覆して、このガード部材４を、前記操作シャフト２に取り付けられる扇形の支持蓋41と、この支持蓋41の周弧縁部から垂下する弯曲状の保護壁42とから構成して、
このガード部材４を、前記板体１の周端縁部の外側に所定間隔をおいて前記保護壁42を配設して、かつ、前記支持蓋41の少なくとも一方の径端縁部と前記操作シャフト２とのなす角が鈍角になるようにして被覆固定して、
前記板体１が回転して前記突起３が地表を擦過することにより雑草を除去可能にするとともに、前記保護壁42により板体１の外周縁部の接触および小石の飛散を防止するという技術的手段を採用したことによって、背低草の刈払機を完成させた。
【００１１】
また、本考案は、上記課題を解決するために、必要に応じて上記手段に加え、突起３を複数の半径線上に沿って成形して、かつ、隣り合う半径線上において当該突起３を互い違いに形成して、この形成位置に対応する同心円上に互い違いの円軌道領域を形成するという技術的手段を採用することもできる。
【００１２】
更にまた、本考案は、上記課題を解決するために、必要に応じて上記手段に加え、突起３を弾性変形可能な強化繊維材料で作製するという技術的手段を採用した。
【考案の効果】
【００１３】
本考案は、円形の板体を棒状の操作シャフトの先端に配設して、この板体を動力源によって回転可能にして、かつ、この板体の下面には、少なくとも複数の突起を、半径線上に沿って成形する一方、この板体の上面側には、ガード部材を被覆して、このガード部材を、前記操作シャフトに取り付けられる扇形の支持蓋と、この支持蓋の周弧縁部から垂下する弯曲状の保護壁とから構成して、このガード部材を、前記板体の周端縁部の外側に所定間隔をおいて前記保護壁を配設して、かつ、前記支持蓋の少なくとも一方の径端縁部と前記操作シャフトとのなす角が鈍角になるようにして被覆固定することによって、
前記板体が回転して前記突起を地表を擦過することによって雑草を除去可能であるとともに、前記保護壁により板体の外周縁部の接触および小石の飛散を防止することができる。
【００１４】
したがって、本考案の背低草の刈払機を使用することによって、狭い圃場の通路において除草作業を行う場合であっても、作物を損傷することがなく、背低の雑草を確実に除去することができることから、実用的利用価値は頗る高いものがあると云える。
【図面の簡単な説明】
【００１５】
【図１】本考案の実施形態の刈払機を表わす全体斜視図である。
【図２】本考案の実施形態の刈払機の板体を表わす斜視図である。
【図３】本考案の実施形態の刈払機の板体を表わす説明正面図である。
【図４】本考案の実施形態の刈払機を表わす部分上面図である。
【図５】本考案の実施形態の刈払機を表わす部分側面図である。
【図６】本考案の実施形態の刈払機の使用状態を表わす説明側面図である。
【図７】本考案の実施形態の刈払機の使用状態を表わす説明側面図である。
【図８】本考案の実施形態の刈払機の使用状態を表わす全体斜視図である。
【図９】本考案の実施形態の刈払機の板体の変形例を表わす説明正面図である。
【図１０】本考案の実施形態の刈払機の変形例を表わす部分上面図である。
【考案を実施するための形態】
【００１６】
本考案を実施するための形態を、具体的に図示した図面に基づいて更に詳細に説明すると、次のとおりである。
【００１７】
本考案の実施形態を図１から図１０に基づいて説明する。図中、符号１で指示するものは板体であって、この板体１は、金属やセラミックスなどの硬質材料を円形に成形し、略中央には、取付孔を設ける。
【００１８】
また、符号２で指示するものは操作シャフトであり、この操作シャフト２は、パイプ状の長手部材であって、パイプ内に回転軸や配線などを挿通可能である。
【００１９】
更にまた、符号３で指示するものは突起であり、この突起３は、所要の剛性を有する棒状部材であって、金属やプラスチック、セラミックスなどの材料を使用することができ、本実施形態では、弾性変形可能な強化繊維材料（たとえば、ポリアミド）で作製することができる。
【００２０】
また、符号４で指示するものはガード部材であり、このガード部材４は、扇形の支持蓋41と、この支持蓋41の周弧縁部から垂下する弯曲状の保護壁42とから構成されている。
【００２１】
しかして、本考案は、複数の畝Ｆに沿って作物Ｃ（本実施形態ではネギ）が植え込まれた圃場にて、これらの畝Ｆ同士の間における地表に生えた背低の雑草を除去するための刈払機であって、構成するあっては、まず、円形の板体１を棒状の操作シャフト２の先端に配設する（図１参照）。この板体１が動力源によって回転可能である。この動力源としては、電磁式のモータや燃料エンジンなどを採用することができる。
【００２２】
そして、この板体１の下面には、少なくとも複数の突起３・３…を、半径線上に沿って成形する（図２参照）。本実施形態では、突起３が、複数の半径線上に沿って成形して、かつ、隣り合う半径線上において当該突起３を互い違いに形成して、この形成位置に対応する同心円上に互い違いの円軌道領域を形成する（図３参照）。
【００２３】
こうすることにより、突起３に雑草が絡み付くのを防止することができるとともに、土壌に必要以上に食い込んだり、小石を撥ね飛ばすのも防止することができ、雑草を効率よく切断することができる。なお、本実施形態では、これらの突起３を板体１に植え込んで固定する。
【００２４】
また、板体１の上面側には、前記ガード部材４が被覆されており、このガード部材４の支持蓋41を前記操作シャフト２の先端に取り付ける。
【００２５】
そして、図４および図５に示すように、このガード部材４を、前記板体１の周端縁部の外側に所定間隔をおいて前記保護壁42を配設して、かつ、前記支持蓋41の少なくとも一方の径端縁部と前記操作シャフト２とのなす角αが鈍角になるようにして被覆固定する。本実施形態では、右側のみを鈍角にする。
【００２６】
そして、図６から図８に示すように、前記板体１が回転して前記突起３が地表を擦過することにより雑草を除去可能であるとともに、前記のように配置したガード部材４の保護壁42により、高速回転する板体１の外周縁部が誤って作物に接触するのを防ぎ、また、突起３による小石の飛散を防止することができるのである。
【００２７】
本考案は、概ね上記のように構成されるが、図示の実施形態に限定されるものでは決してなく、「実用新案登録請求の範囲」の記載内において種々の変更が可能であって、例えば、突起３の配置は、図９に示すような３本に均等分割した半径線上に配置したものであっても良い。
【００２８】
また、図１０に示すように、ガード部材４の形状は、左右両側に対して鈍角に被覆されているものであっても良く、これら何れのものも本考案の技術的範囲に属する。
【符号の説明】
【００２９】
１    板体
２    操作シャフト
３    突起
４    ガード部材
41    支持蓋
42    保護壁
Ｍ    動力源
Ｆ    畝
Ｃ    作物
【図１】
0003158014.tif 000003
【図２】
0003158014.tif 000004
【図３】
0003158014.tif 000005
【図４】
0003158014.tif 000006
【図５】
0003158014.tif 000007
【図６】
0003158014.tif 000008
【図７】
0003158014.tif 000009
【図９】
0003158014.tif 000010
【図１０】
0003158014.tif 000011
【図８】
0003158014.tif 000012